(57)【要約】【課題】ミトンの中において手指を過度に抑制することを回避しながらも、ミトンからの手部の抜き出しを確実に防止できる要介護者用衣服を提供する。【解決手段】前身頃２ａ，２ａと、後身頃２ｂからなる胴部２と、一対の袖部３，３と、この袖部３，３にそれぞれ取り付けられ要介護者の手部が収容されるミトン４，４を備え、このミトン４は、手部を包み込む手袋部５と、要介護者の手関節部に巻回されてこの手関節部を締め付ける締付部材８を有し、手袋部５は、クッション部材６と、このクッション部材６に隣り合う第１の外布７を備える。【選択図】図１
0003210285.tif 000002
【実用新案登録請求の範囲】
【請求項１】
前身頃と、後身頃からなる胴部と、一対の袖部と、この袖部にそれぞれ取り付けられ要介護者の手部が収容されるミトンを備え、
このミトンは、前記手部を包み込む手袋部と、前記要介護者の手関節部に巻回されてこの手関節部を締め付ける締付部材を有し、
前記手袋部は、クッション部材と、このクッション部材に隣り合う第１の外布を備えることを特徴とする要介護者用衣服。
【請求項２】
前記締付部材は、柔軟性を有する長尺体と、この長尺体の複数個所にそれぞれ取り付けられる係合部材と、この係合部材同士が係合された係合部を被覆する被覆部を備え、
この被覆部は、前記袖部又は前記手袋部に固着される固着部と、前記係合部を跨いで前記固着部と反対側に設けられる開閉部と、を有し、
前記開閉部は、ロック部材を介して前記手袋部又は前記袖部へ開閉可能に固定されることを特徴とする請求項１に記載の要介護者用衣服。  
【請求項３】
前記クッション部材と前記第１の外布の間に形成され、前記手部が収容される空間は、手指の長手方向に沿って、前記手部の幅方向を仕切る仕切りが設けられることを特徴とする請求項１又は請求項２に記載の要介護者用衣服。
【請求項４】
前記手袋部は、前記クッション部材と前記第１の外布の間に設けられる内布と、
この内布を挟んで前記第１の外布と反対側に設けられる第２の外布を備え、
前記仕切りは、前記クッション部材と前記第１の外布の間に形成される代わりに、前記内布と前記第１の外布の間に形成され、  
前記内布及び前記第２の外布は、それぞれ周縁の一部同士が接合されるとともに、クッション部材を出し入れする開口部が設けられるポケット部をなすことを特徴とする請求項３に記載の要介護者用衣服。
【請求項５】
前記ミトンは、前記締付部材を超えて延設される袖口部を備え、
この袖口部は、連結部材を介して前記袖部と着脱可能に連結されることを特徴とする請求項１乃至請求項４のいずれか１項に記載の要介護者用衣服。
【請求項６】
前記袖部は、その袖丈を調節するための袖丈調節用部材を備え、
この袖丈調節用部材は、前記袖部の長さ方向に沿って配置される複数の留め具であることを特徴とする請求項１乃至請求項５のいずれか１項に記載の要介護者用衣服。
【考案の詳細な説明】
【技術分野】
【０００１】
本考案は、要介護者の手部を収容するミトンを備える要介護者用衣服に係り、特に、ミトンの中での手指の動きを安全に抑制することで、体内に挿入されたチューブ類の引き抜きや要介護者の怪我を防止し得る要介護者用衣服に関する。
【背景技術】
【０００２】
従来、病状により、投薬や栄養補給のためのチューブ類を無意識に引き抜いてしまう患者に対しては、患者の手関節部に固定してこの手関節部から先の手部を包み込むことのできるミトンが使用されてきた。このミトンは、通常、袋状をなし、手掌側の面にクッション部材が備えられている。このようなミトンによれば、手部の動きをある程度抑制することができる。
しかし、上記構成のミトンでは、要介護者がクッション部材を折り曲げてチューブをつまみ、これを引き抜く場合があるという課題があった。また、ミトンは袋状をなすことから、その中で手指を自在に動かすことが可能である。そのため、手指の動きにつれて徐々に手関節部の固定が緩み、ミトンから手部を抜き出す場合があるという課題もあった。
そこで、近年、クッション部材の形状を工夫したミトンや、手部の抜き出しが困難なミトンについての研究や開発が行われており、それに関して既に発明や考案が開示されている。
【０００３】
特許文献１には「医療介護用手袋」という名称で、患者の手を拘束する手袋に関する発明が開示されている。
以下、特許文献１に開示された発明について説明する。特許文献１に開示された発明は、袋状のミトン部と、ミトン部の掌側に配置され、軟質クッション材と硬質クッション材からなるクッション部と、を有し、ミトン部に指先をクッション部の側面に差し込んでクッション部の縁の一部を掴むことができるポケット部が設けられることを特徴とする。
このような特徴を有する発明においては、クッション部が硬質クッション材を備えるため、クッション部を折り曲げてチューブ類をつまむことを困難とする。一方、患者は、ポケット部に指を入れてクッション部の縁を掴むことができるので、手の拘束によるストレスから暴れ出すことを防止可能である。したがって、本発明によれば、適度に患者の手指の動きを抑制し、より安全に手を拘束することができる。
【０００４】
次に、特許文献２には「手袋付き上着」という名称で、患者自身がチューブ類を外すことを防ぐための手袋付き上着に関する考案が開示されている。
以下、特許文献２に開示された考案について説明する。特許文献２に開示された考案は、両袖の先にそれぞれ手袋を延設し、手首の部分で袖をつぼめるための紐を取り付け、手袋に隣接して袖の下側に開閉自在な介護口を設けることを特徴とする。
このような特徴を有する考案においては、手袋に導かれた被介護者の手首は、紐によって袖に固定されるので、被介護者は、手で細かい作業ができなくなり、チューブ類を外すことがなくなる。
【先行技術文献】
【特許文献】
【０００５】
【特許文献１】特開２０１２−２２４９５３号公報
【特許文献２】実用新案登録第３０７９２５５号公報
【考案の概要】
【考案が解決しようとする課題】
【０００６】
しかしながら、特許文献１に開示された医療介護用手袋においては、クッション部の載置面上を、甲の幅方向に手指を自由に動かすことができる。そのため、指先を曲げた状態で甲の幅方向に手指を動かすと、外布とクッション部の載置面の間に指先を曲げた手指が挟まれてしまい、力の弱い老人では、指先をポケット部に戻すことが困難な場合が考えられる。すなわち、手指を過度に拘束してしまう可能性がある。
【０００７】
また、特許文献２に開示された手袋付き上着においては、手袋は単一の袋なので、その中で手指を自在に動かすことが可能である。加えて、被介護者の手首は、紐によって袖に固定されることから、手指の動きにつれて容易に紐が緩み、手袋から手部を抜き出すことが考えられる。すなわち、従来技術の課題を十分に解決できていない可能性がある。
【０００８】
本考案は、このような従来の事情に対処してなされたものであり、ミトンの中において手指を過度に抑制することを回避しながらも、ミトンからの手部の抜き出しを確実に防止できる要介護者用衣服を提供することを目的とする。
【課題を解決するための手段】
【０００９】
上記目的を達成するため、第１の考案は、前身頃と、後身頃からなる胴部と、一対の袖部と、この袖部にそれぞれ取り付けられ要介護者の手部が収容されるミトンを備え、このミトンは、手部を包み込む手袋部と、要介護者の手関節部に巻回されてこの手関節部を締め付ける締付部材を有し、手袋部は、クッション部材と、このクッション部材に隣り合う第１の外布を備えることを特徴とする。
【００１０】
このような構造の考案において、前身頃は、要介護者の体軸に沿うように線ファスナーが取り付けられて左右方向に分割されるほか、このような線ファスナーが備えられなくても良い。後身頃も、これと同様である。また、クッション部材は、衝撃を吸収可能な材料からなる。また、第１の外布は、通気性が良好で、手触りの柔らかい材質であることが望ましい。
さらに、クッション部材と、第１の外布は、線ファスナーを介して分離可能に接合されるほか、互いに分離不能に縫合されることで接合されても良い。そして、締付部材としては、例えば、バックルや面ファスナーを有するリストバンドが使用される。
【００１１】
上記構成の考案においては、手部は、手袋部のクッション部材と第１の外布の間に収容され、これらによって包み込まれるため、クッション材によって衝撃から保護される。
また、要介護者に要介護者用衣服を着せたとき、袖部の長さが一定であるため、一方のミトンを体軸から離れる方向に引っ張っても、他方のミトンによって一方のミトンの移動が妨げられる。
【００１２】
また、第２の考案は、第１の考案において、締付部材は、柔軟性を有する長尺体と、この長尺体の複数個所にそれぞれ取り付けられる係合部材と、この係合部材同士が係合された係合部を被覆する被覆部を備え、この被覆部は、袖部又は手袋部に固着される固着部と、係合部を跨いで固着部と反対側に設けられる開閉部と、を有し、開閉部は、ロック部材を介して手袋部又は袖部へ開閉可能に固定されることを特徴とする。
このような構造の考案において、締付部材及び係合部材は、例えば、リストバンド及び面ファスナーがそれぞれ使用される。また、被覆部は、要介護者によって係合部材同士が分離されることを防止するために設けられる。
上記構造の考案においては、第１の考案の作用に加えて、長尺体及び係合部材によって手関節部が締め付け固定される。そのため、手袋部から手部を抜き出すことが困難となる。
さらに、例えば、固着部が袖部に固着されるとともに、開閉部がロック部材を介して手袋部へ固定されるとき、係合部が被覆部によって被覆された状態が保持され、係合部材同士の係合を解除することができない。
【００１３】
さらに、第３の考案は、第１又は第２の考案において、クッション部材と第１の外布の間に形成され、手部が収容される空間は、手指の長手方向に沿って、手部の幅方向を仕切る仕切りが設けられることを特徴とする。
このような構造の考案においては、第１又は第２の考案の作用に加えて、クッション部材と第１の外布の間に形成される空間に手部が収容されると、仕切りを挟んだ両側に隣り合う手指が配置される。したがって、手部が、その幅方向に移動することが防止される。ただし、仕切りは、手指の長手方向に沿って設けられるので、手指の伸展及び屈曲が妨げられることはない。
【００１４】
続いて、第４の考案は、第３の考案において、手袋部は、クッション部材と第１の外布の間に設けられる内布と、この内布を挟んで第１の外布と反対側に設けられる第２の外布を備え、仕切りは、クッション部材と第１の外布の間に形成される代わりに、内布と第１の外布の間に形成され、内布及び第２の外布は、それぞれ周縁の一部同士が接合されるとともに、クッション部材を出し入れする開口部が設けられるポケット部をなすことを特徴とする。
このような構造の考案においては、第３の考案の作用に加えて、手部は、内布と第１の外布の間に収容され、仕切りによって手部の幅方向に移動することが防止される。
また、クッション部材は、内布と第２の外布のいずれに対しても別体であって、ポケット部に、開口部を介して取り出し可能に収納される。
【００１５】
そして、第５の考案は、第１乃至第４のいずれかの考案において、ミトンは、締付部材を超えて延設される袖口部を備え、この袖口部は、連結部材を介して袖部と着脱可能に連結されることを特徴とする。
このような構造の考案において、連結部材としては、ミトンと袖部の開放端を連結する部材であって、例えば、線ファスナー、面ファスナー、点ファスナーが使用される。
上記構造の考案においては、第１乃至第４のいずれかの考案の作用に加えて、必要に応じ、ミトンが袖部から取り外されたり、袖部に取り付けられたりする。
【００１６】
そして、第６の考案は、第１乃至第５のいずれかの考案において、袖部は、その袖丈を調節するための袖丈調節用部材を備え、この袖丈調節用部材は、袖部の長さ方向に沿って配置される複数の留め具であることを特徴とする。
このような構造の考案において、留め具としては、例えば、面ファスナー、点ファスナーが使用される。
上記構造の考案においては、第１乃至第５のいずれかの考案の作用に加えて、複数の留め具のうちのいずれかの留め具に、残りの留め具が係合する。したがって、係合する留め具同士の組み合わせによって、袖丈が調節される。
【考案の効果】
【００１７】
以上説明したように、第１の考案によれば、リストバンドは、要介護者の手関節部を締め付け固定可能に構成されるため、リストバンドが緩むおそれがない。加えて、袖部の長さが一定であるため、他方のミトンによって一方のミトンの移動が妨げられるため、双方のミトンのいずれにおいても、手部の抜き出しを確実に防止可能である。
さらに、手部は、クッション材によって衝撃から保護されるので、要介護者が無意識に手部を動かした場合であっても、怪我を防止することができる。
【００１８】
第２の考案によれば、第１の考案の効果に加えて、係合部が被覆部によって被覆された状態が保持されることから、要介護者が係合部材同士を分離することを防止できる。したがって、長尺体及び係合部材による手関節部の締め付け固定を確実に維持できる。
【００１９】
第３の考案によれば、第１又は第２の考案の効果に加えて、仕切りが設けられることにより、手部がその幅方向に移動することが防止されるため、手袋部の中で手部が不自然に配置されない。したがって、手部を捩じることもなくこれによる痛みの発生を防止できる。
また、手指の伸展及び屈曲が妨げられないので、要介護者のストレスを軽減できる。
【００２０】
第４の考案によれば、第３の考案の効果に加えて、クッション部材は、開口部を介してポケット部に出し入れされるため、クッション部材を容易に交換可能である。したがって、クッション部材の厚さや材質を適宜調節したり、クッション部材の清潔さを維持したりすることができる。
【００２１】
第５の考案によれば、第１乃至第４のいずれかの考案の効果に加えて、連結部材を操作することで、袖部に対してミトンを容易に着脱させることができる。したがって、例えば、ミトンのみが汚れた場合に、胴部を脱がせることなく直ちにミトンを交換可能であるから、従来のミトンのみからなる介護用品と比較して、要介護者及び介護者の負担が増大することがないという効果を有する。
【００２２】
第６の考案によれば、第１乃至第５のいずれかの考案の効果に加えて、係合する留め具同士の組み合わせによって袖丈が調節されるため、要介護者の体格に合わせて袖丈の微調整が可能となる。  
【図面の簡単な説明】
【００２３】
【図１】（ａ）及び（ｂ）は、それぞれ実施例に係る要介護者用衣服の前面図及び背面図である。
【図２】（ａ）及び（ｂ）は、それぞれ実施例に係る要介護者用衣服を構成するミトンの側面図及び斜視図である。
【図３】実施例に係る要介護者用衣服を構成するミトンの平面図である。
【図４】（ａ）及び（ｂ）は、それぞれ実施例の第１の変形例に係る要介護者用衣服を構成するミトンの側面図であり、（ｂ）はクッション部材の平面図である。
【図５】（ａ）及び（ｂ）は、それぞれ実施例の第２の変形例に係る要介護者用衣服の袖部の平面図である。
【考案を実施するための形態】
【実施例】
【００２４】
本考案の実施の形態に係る要介護者用衣服について、図１乃至図３を用いて詳細に説明する。図１（ａ）及び図１（ｂ）は、それぞれ実施例に係る要介護者用衣服の前面図及び背面図である。
図１（ａ）及び図１（ｂ）に示すように、本実施例の要介護者用衣服１は、２枚の前身頃２ａ，２ａと、１枚の後身頃２ｂからなる胴部２と、一対の袖部３，３と、この袖部３，３にそれぞれ取り付けられ要介護者の手部が収容されるミトン４，４を備える。
このうち、前身頃２ａと前身頃２ａ同士は、線ファスナー１０で連結され、前開き可能な構成となっている。また、胴部２は、要介護者の胸郭の上部のみを覆うような着丈となっており、その下縁に沿って、紐状の保持具１１が備えられる。
また、ミトン４は、手部を包み込む手袋部５と、要介護者の手関節部に巻回されてこの手関節部を締め付ける締付部材８を有する。この手袋部５は、掌側のクッション部材６と、このクッション部材６に隣り合う甲側の第１の外布７を備える。
第１の外布７は、通気性と柔軟性を有するメッシュ素材の布材が使用される。さらに、締付部材８としては、例えば、リストバンドが使用される。  
【００２５】
次に、実施例に係る要介護者用衣服を構成するミトンについて、図２及び図３を用いながらより詳細に説明する。図２（ａ）及び図２（ｂ）は、それぞれ実施例に係る要介護者用衣服を構成するミトンの側面図及び斜視図である。なお、図１で示した構成要素については、図２においても同一の符号を付して、その説明を省略する。
図２（ａ）及び図２（ｂ）に示すように、ミトン４を構成する手袋部５において、クッション部材６と第１の外布７は、それぞれのＵ字形状をなす外周が連結部材１２ａ，１２ｂを介して接合される。
クッション部材６は、布製の袋体に、複数の衝撃吸収材６ａが封入されたものである。この衝撃吸収材６ａは、球状のウレタンフォームである。また、連結部材１２ａ，１２ｂは、具体的には、線ファスナーであるため、クッション部材６と第１の外布７は、それぞれの外周において分離可能である。
さらに、図２（ｂ）に示すように、クッション部材６と第１の外布７の間に形成され、手部が収容される空間Ｓは、手指の長手方向Ｙに沿って、手部の幅Ｗ方向を仕切る仕切り１３（図中ジグザグ線部）が設けられる。この仕切り１３は、第１の外布７とクッション部材６の一方の面６ｂを直線状に縫合することで形成される。
【００２６】
さらに、図３は、実施例に係る要介護者用衣服を構成するミトンの平面図である。なお、図１及び図２で示した構成要素については、図３においても同一の符号を付して、その説明を省略する。
図３に示すように、仕切り１３（図中ジグザグ線部）は、要介護者の手部Ｈが手袋部５に収容された場合に、手指ｆ２と手指ｆ３が仕切り１３を挟むことができる位置に設けられる。
【００２７】
また、締付部材８は、柔軟性を有する布製のバンド８ａと、このバンド８ａの一端に取り付けられ長孔を有するバックル８ｂと、バンド８ａの複数個所にそれぞれ取り付けられる係合部材８ｃ，８ｄと、この係合部材８ｃ，８ｄ同士が係合された係合部８ｅを被覆する被覆片９を備える。より詳細には、係合部材８ｃは、バンド８ａ表面上で、その他端に貼着される面ファスナーであり、係合部材８ｄは、バンド８ａ表面上でバックル８ｂ付近に貼着される面ファスナーである。そして、係合部８ｅは、バックル８ｂをくぐった係合部材８ｃが、係合部材８ｄの上側に係合したものである。
【００２８】
さらに、この被覆部９は、袖部３に固着される固着部９ａと、係合部８ｅを跨いで固着部９ａと反対側に設けられる開閉部９ｂと、を有する。そして、開閉部９ｂは、ロック部材Ｌを介して手袋部５へ開閉可能に固定される。このような被覆部９は、係合部８ｅにおいて、係合部材８ｄの上側に係合した係合部材８ｃが、要介護者によって引き剥がされることを防止するために設けられる。
具体的には、被覆部９は、略円弧状に形成されており、弦に相当する固着部９ａのみが袖部３に縫着される。また、ロック部材Ｌは、２片からなるスナップボタンであって、このスナップボタンの一片Ｌ１及び他片Ｌ２は、それぞれ開閉部９ｂの一面及び第１の外布７の表面に設けられる。一片Ｌ１及び他片Ｌ２が、互いに係合することで、開閉部９ｂは、第１の外布７から分離困難となり、被覆片９が係合部８ｅを被覆した状態が保持される。一方、一片Ｌ１及び他片Ｌ２の係合は、一片Ｌ１をその上方から強く押すことによって解除される。  
【００２９】
このような構造の要介護者用衣服１においては、要介護者に要介護者用衣服１を装着する場合、線ファスナー１０を開放して一対の袖部３，３にそれぞれ腕を通しながら胴部２を要介護者の上半身に着せた後、手部をミトン４の手袋部５に挿入する。このとき、手指ｆ２と手指ｆ３が仕切り１３を挟んでいることを確認する。確認後、再び線ファスナー１０を閉じて前身頃２ａ，２ａ同士を連結し、保持具１１を引っ張って胴部２が首側にずり上がらないよう、胴部２の胸周りのサイズを適宜調節する。そして、手関節部に締付部材８のバンド８ａを巻き付けた後、係合部材８ｃ，８ｄ及び被覆片９によって手関節部を締め付け固定する。以上の手順により、要介護者に要介護者用衣服１が装着される。
逆に、要介護者用衣服１を脱がせるには、介護者がまず一片Ｌ１及び他片Ｌ２の係合を解除し、締付部材８の係合部材８ｃ，８ｄ同士を分離してバンド８ａを緩める。そして、線ファスナー１０を開放してミトン４，４及び袖部３，３からそれぞれ手部及び腕を抜き出し、さらに上半身から胴部２を脱がせると良い。
【００３０】
上記のようにして要介護者用衣服１が装着されると、手部が手袋部５に収容された状態で係合部材８ｃ，８ｄ及び被覆片９によって手関節部が締め付け固定されているので、要介護者は、被覆片９の開閉部９ｂを第１の外布７から引き剥がすことができない。
さらに、袖部３，３の長さがそれぞれ一定であるため、例えば、一方のミトン４を要介護者の体軸から離れる方向に引っ張っても、他方のミトン４によって一方のミトン４の移動が妨げられる。そのため、この一方のミトン４から手部を抜き出すことは不可能である。
【００３１】
また、手部Ｈは、手袋部５のクッション部材６と第１の外布７の間に挿入され、これらによって包み込まれるため、手部は、クッション部材６によって衝撃から保護されるとともに、手指ｆ１〜ｆ５の伸展及び屈曲が抑制されない。
さらに、仕切り１３が、手指ｆ２と手指ｆ３が仕切り１３を挟むことができる位置に設けられることから、手部Ｈは、甲の幅Ｗ方向について移動することが抑制されるものの、手指ｆ１〜ｆ５の伸展及び屈曲はやはり抑制されない。  
【００３２】
以上説明したように、本実施例に係る要介護者用衣服１によれば、一般的な衣服を着せたり、脱がせたりする手順とほぼ同様の手順によって、要介護者用衣服１の着脱が可能である。したがって、一般的な衣服と比較して、要介護者及び介護者の負担を増大させるものではない。
また、要介護者は、被覆片９の開閉部９ｂを第１の外布７から引き剥がすことができないため、締付部材８が緩むことがない。加えて、双方のミトン４，４から手部を抜き出すことは不可能であることから、ミトン４，４からの手部の抜き出しを確実に防止可能である。
【００３３】
また、手袋部５においては、手部Ｈは、仕切り１３によって甲の幅Ｗ方向について移動することが抑制されるものの、手指ｆ１〜ｆ５の伸展及び屈曲は抑制されない。そのため、手指ｆ１〜ｆ５を過度に抑制することを回避することができる。したがって、要介護者のストレスを軽減できるとともに、手指ｆ１〜ｆ５を動かさないことによる拘縮を防止することが可能である。
【００３４】
また、手部Ｈは、クッション部材６によって衝撃から保護されるので、要介護者が無意識に手部を動かした場合であっても、怪我を防止することができる。さらに、クッション部材６は、布製の袋体に、複数の衝撃吸収材６ａが封入されたものであるから、要介護者が手指ｆ１〜ｆ５を屈曲させた場合、衝撃吸収材６ａが移動して掌の中で塊状となる。
これに対し、平板状のクッション部材を屈曲させると、形成された屈曲部でチューブ類をつまむことができる。しかし、クッション部材６は、前述したように衝撃吸収材６ａが移動して塊状となるので、手部はチューブ類をつまむことができない。したがって、ミトン４を正しく装着した場合においても、要介護者がチューブ類を引き抜くことを防止することができる。
さらに、第１の外布７は、通気性と柔軟性を有するメッシュ素材の布材が使用されるため、手袋部５の内部で皮膚の蒸れや擦れが発生せず、衛生上好ましいとともに、要介護者のストレスを増大させない。
【００３５】
次に、実施例の第１の変形例に係る要介護者用衣服について、図４を用いながら説明する。図４（ａ）及び図４（ｂ）は、それぞれ実施例の第１の変形例に係る要介護者用衣服を構成するミトンの側面図であり、（ｂ）はクッション部材の平面図である。なお、図１乃至図３で示した構成要素については、図４においても同一の符号を付して、その説明を省略する。
図４（ａ）及び図４（ｂ）に示すように、実施例の第１の変形例に係る要介護者用衣服（以下、変形例１という。）においては、手袋部５の代わりに、手袋部５Ａを備える。手袋部５Ａは、クッション部材１４と第１の外布７の間に設けられる内布１５と、この内布１５を挟んで第１の外布７と反対側に設けられる第２の外布１６を備える。
このうち、クッション部材１４は、２枚の布体１４ａ，１４ｂが袋状をなすように縫合され、その内部に複数の衝撃吸収材６ａが封入されたものであって、内布１５と第２の外布１６のいずれに対しても別体となっている。なお、内布１５と、クッション部材１４の布体１４ｂは、それぞれ通気性と柔軟性を有するメッシュ素材の布材が使用される。
また、内布１５と第１の外布７は、それぞれのＵ字形状をなす外周が連結部材１７ａ，１７ｂを介して接合される。連結部材１７ａ，１７ｂは、具体的には、線ファスナーであるため、内布１５と第１の外布７は、それぞれの外周において分離可能である。
【００３６】
次に、仕切り１３(図２，３参照)は、クッション部材６（図２参照）と第１の外布７の間に形成される代わりに、内布１５と第１の外布７の間に形成される。この仕切り１３は、要介護者の手部Ｈが手袋部５Ａに収容された場合に、手指ｆ２と手指ｆ３が仕切り１３を挟むことができる位置に設けられる。
さらに、内布１５及び第２の外布１６は、それぞれ周縁の一部同士が連結部材１７ａに縫着されて接合されるとともに、クッション部材１４を図中白抜矢印方向に出し入れする開口部１８ａが設けられるポケット部１８をなす。そして、開口部１８ａには、互いに係合する面ファスナー１９ａ，１９ｂが設けられる。
変形例１におけるこれ以外の構成は、実施例に係る要介護者用衣服１の構成と同様である。
【００３７】
このような構造の変形例１においては、手部は、内布１５と第１の外布７の間に収容され、仕切り１３によって手部の幅Ｗ方向（図３参照）に移動することが防止される。
また、クッション部材１４は、内布１５と第２の外布１６のいずれに対しても別体となっているため、開口部１８ａを介してポケット部１８に取り出し可能に収納される。そして、クッション部材１４がポケット部１８に収納されるとき、面ファスナー１９ａ，１９ｂ同士を係合させることで、クッション部材１４の脱落が防止される。
変形例１におけるこれ以外の作用は、実施例に係る要介護者用衣服１の作用と同様である。
【００３８】
以上、説明したように、変形例１によれば、クッション部材１４は、開口部１８ａを介してポケット部１８に取り出し可能に収納されるため、クッション部材１４を容易に交換可能である。したがって、クッション部材１４の厚さや材質を適宜調節したり、クッション部材１４の清潔さを維持したりすることができる。
また、内布１５と、クッション部材１４の布体１４ｂは、それぞれ通気性と柔軟性を有するメッシュ素材の布材が使用されるため、手袋部５の内部で皮膚の蒸れ等の発生を防止できる。
変形例１におけるこれ以外の効果は、実施例に係る要介護者用衣服１の効果と同様である。
【００３９】
続いて、実施例の第２の変形例に係る要介護者用衣服について、図５を用いながら説明する。図５（ａ）及び図５（ｂ）は、それぞれ実施例の第２の変形例に係る要介護者用衣服の袖部の平面図である。なお、図１乃至図４で示した構成要素については、図５においても同一の符号を付して、その説明を省略する。
図５（ａ）及び図５（ｂ）に示すように、実施例の第２の変形例に係る要介護者用衣服（以下、変形例２という。）においては、袖部３及びミトン４の代わりに、それぞれ袖部３Ａ及びミトン４Ａを備える。
袖部３Ａは、実施例１の袖部３の袖丈をやや短縮したものであって、その袖丈を調節するための袖丈調節用部材２０を備える。袖丈調節用部材２０は、袖部３Ａの長さ方向に沿って配置される複数の留め具２０ａ〜２０ｆである。より詳細には、留め具２０ａ〜２０ｄは、いずれも凹部を有するスナップボタンであり、留め具２０ｅ，２０ｆは、それぞれ凸部を有して留め具２０ａ〜２０ｄのいずれかに係合するスナップボタンである。
ミトン４Ａは、手袋部５と、締付部材８と、締付部材８を超えて延設される袖口部２１を備え、この袖口部２１は、連結部材２２ａ，２２ｂを介して袖部３Ａの開放端３ａと着脱可能に連結される。連結部材２２ａ，２２ｂは、具体的には、線ファスナーである。
変形例２におけるこれ以外の構成は、実施例に係る要介護者用衣服１の構成と同様である。
【００４０】
このような構造の変形例２においては、連結部材２２ａ，２２ｂを操作することで、ミトン４Ａが袖部３Ａから取り外されたり、袖部３Ａに取り付けられたりする。
また、図５（ａ）に示すように、留め具２０ｄに留め具２０ｅを係合させると、袖部３Ａの袖丈が最長となる。一方、図５（ｂ）に示すように、留め具２０ａ，２０ｂに留め具２０ｅ，２０ｆをそれぞれ係合させると、袖部３Ａの袖丈が最短となる。
変形例２におけるこれ以外の作用は、実施例に係る要介護者用衣服１の作用と同様である。
【００４１】
以上、説明したように、変形例２によれば、連結部材２２ａ，２２ｂを操作することで、袖部３Ａに対してミトン４Ａを容易に着脱させることができる。したがって、胴部２とミトン４Ａの各サイズを選択して組み合わせることが可能となるため、要介護者の体格に最適な要介護者用衣服を構成することができる。
また、例えば、ミトン４Ａのみが汚れた場合に、胴部２を脱がせることなく直ちにミトン４Ａを交換可能であるから、従来のミトンのみからなる介護用品と比較して、要介護者及び介護者の負担が増大することがないという効果を有する。
さらに、留め具２０ａ〜２０ｄのいずれかに留め具２０ｅ，２０ｆを係合させることにより、要介護者の体格に合わせて袖部３Ａの袖丈の微調整が可能であるので、手袋部５の先端に手指が突き当たることを緩和できるほか、仕切り１３に手指が到達せず、仕切り１３を十分に挟めないことを防止可能である。
変形例２におけるこれ以外の効果は、実施例に係る要介護者用衣服１の効果と同様である。
【００４２】
なお、本考案の要介護者用衣服１、変形例１及び変形例２は、本実施例に示す構造に限定されない。例えば、第１の外布７を挟んで、クッション部材６の反対面にもクッション部材が備えられても良い。また、線ファスナー１０が省略され、２枚の前身頃２ａ，２ａの代わりに、１枚の前身頃が使用されても良い。あるいは、被覆部９は、固着部９ａが手袋部５に固着され、開閉部９ｂがロック部材Ｌを介して袖部３へ開閉可能に固定されても良い。そして、袖部３，３Ａにそれぞれ設けられる袖丈調節用部材２０は、省略されても良い。
さらに、変形例２に係るミトン４Ａの手袋部５は、変形例１に係るミトン４の手袋部５Ａに置換されても良い。また、留め具２０ｄと留め具２０ａの間隔は、適宜変更することができる。あるいは、留め具２０ａ〜２０ｄ及び留め具２０ｅ，２０ｆとして、それぞれ長尺状の面ファスナーが使用されても良い。
【産業上の利用可能性】
【００４３】
本考案は、要介護者の体内に挿入されたチューブ類を、要介護者が引き抜くことを防止するための要介護者用衣服として適用可能である。
【符号の説明】
【００４４】
１…要介護者用衣服  ２…胴部  ２ａ…前身頃  ２ｂ…後身頃  ３，３Ａ…袖部  ３ａ…開放端  ４，４Ａ…ミトン  ５，５Ａ…手袋部  ６…クッション部材  ６ａ…衝撃吸収材  ６ｂ…一方の面  ７…第１の外布  ８…締付部材  ８ａ…バンド  ８ｂ…バックル  ８ｃ，８ｄ…係合部材  ８ｅ…係合部  ９…被覆部  ９ａ…固着部  ９ｂ…開閉部  １０…線ファスナー  １１…保持具  １２ａ，１２ｂ…連結部材  １３…仕切り  １４…クッション部材  １４ａ，１４ｂ…布体  １５…内布  １６…第２の外布  １７ａ，１７ｂ…連結部材  １８…ポケット部  １８ａ…開口部  １９ａ，１９ｂ…面ファスナー  ２０…袖丈調節用部材  ２０ａ〜２０ｆ…留め具  ２１…袖口部  ２２ａ，２２ｂ…連結部材  Ｈ…手部  ｆ１〜ｆ５…手指  Ｓ…空間  Ｌ…ロック部材  Ｌ１…一片  Ｌ２…他片
【図１】
0003210285.tif 000003
【図２】
0003210285.tif 000004
【図３】
0003210285.tif 000005
【図４】
0003210285.tif 000006
【図５】
0003210285.tif 000007